(57)【要約】【課題】  缶詰を未開封の状態で素早く喫食適温にすることができる保温陳列装置を提供する。【解決手段】  本発明の缶保温陳列装置は、円周方向に溝を有する複数の円筒４が水平に平行配置されて等速回転することによって、それらの円筒４上に載置した缶詰の巻き締め部の突起と円筒４の溝が嵌合し、よって円筒４と缶詰の側周面１との密着性が高まり、円筒４からの熱を効率よく缶詰に伝える。円筒４上に載置した缶は側周面に沿って回転するので、側周面に配置された文字、図柄などのラベル・デザイン全体が動的に表示される。【選択図】図１０
2009213852.tif 000002
【特許請求の範囲】
【請求項１】
円周方向に溝を有する複数の円筒を水平に平行配置して等速回転させ、それらの円筒上に載置した缶詰の巻き締め部の突起と円筒の溝が嵌合することによって円筒表面と缶詰の側周面との密着性を高めたことを特徴とする缶詰の保温装置。
【請求項２】
水平方向に配置した複数の円筒を等速回転させることによって、円筒上に載置した缶の側周面に配置された文字、図柄などのラベル・デザインを動的に表示することを特徴とする缶製品の陳列装置および缶。
【発明の詳細な説明】
【発明の詳細な説明】
【技術分野】
【０００１】  本発明は、例えば居酒屋などに設置されて缶詰を喫食適温に保持する保温装置、あるいは、小売店に設置されて缶製品を陳列する装置に関する。
【背景技術】
【０００２】  従来、缶飲料などを喫食適温に保つために保温器が用いられている。それらの機器は、缶の底辺部からの熱伝導によって温度調節する構造になっているものが多い。このような機器は、熱源と缶との接触面積が少ないために熱伝導効率が悪く、温度調節に費やす時間が長くかかるという問題がある。【０００３】  一般に、容器を外部からの熱源によって効率的に温度調節するためには、熱源と容器の接触面積を大きくする必要がある。缶容器は底面部よりも側周面のほうが面積が大きいので、側周面全体から熱伝導を行うと効率がよくなるが、そのためには、缶の側周面に熱源を密着させる必要がある。【０００４】  そのため、缶飲料を水に沈めて、水を媒介として缶容器の全面から熱伝導を行う構造の保温器などが実用化されている。【０００５】
【特許文献】  特開平０９−３２４９７３  （第１−２項、第２図）
【０００６】  しかし、熱伝導の媒体として水を用いる保温器は、機器の容積や重量が大きくなりがちである。また、缶に水が付着することや、機器に水を補充する必要があるなどの問題がある。【０００７】  円筒状の食品をその側周面を利用して温度調節する方法としては、対象物を横に寝かせた状態で熱源に密着させ、熱源上で対象物を回転させることによって、側周面全体から熱伝導を行う方法がある。【０００８】
【実用新案文献】
実公昭４３−０２２７０７  （第４図）
【０００９】  上記（０００７）の文献に記載された方法は、ソーセージのような円筒状の食品の温度調節を行なうもので、一般的な食品に対して有効な手段ではない。  円筒状でない食品を上記（０００６）の方法で温度調節するためには、円筒状の容器に封入して行なえばよい。たとえば、缶詰は円筒状の容器に密封された食品であるので、上記（０００６）の方法で温度調節できるように思われる。
【００１０】  具体的に言えば、水平方向に平行な複数の円筒状の熱源を等速で回転させ、それぞれの熱源の間に缶詰を載置すれば、その缶詰は熱源によって駆動されて回転し、熱源からの側周面全体を介した熱伝導によって缶内部の食品を喫食適温に到達させることができると考えられる。この方法は、缶詰の側周面を利用するために熱伝導効率がよく、熱伝導の媒体に水を使わないので機器の小型軽量化が可能である。
【発明の開示】
【発明が解決しようとする課題１】
【００１１】  一般に、食品缶詰は中身を完全密封する過程で巻き締めされているが、この巻き締め部が側周面に対して外側に折り曲げられているものが多い。これは、巻き締め機の構造によるものと考えられるが、巻き締め部を側周面より外側に折り曲げることによって缶の直径が少し広がるので、缶を垂直に重ね置きする際に上下の蓋の円周に差をつけることによって、缶が嵌合して安定するという利点もある。したがって、多くの食品缶詰は、締め部が容器本体の側周面よりも外側に折り曲げられ、突出した状態になっている。そのような缶詰を横に寝かせて熱源上で駆動回転させると、巻き締め部が突起となって熱源と側周面との密着性が損なわれ、十分な熱伝導が得られないという問題が生じる。
【００１２】  そこで本発明が解決しようとする課題は、側周面よりも外側に折り曲げられた巻き締め部を有する缶詰であっても、熱源となる円筒表面と缶詰の側周面との密着性を高めて、効果的に缶詰を喫食適温にすることのできる保温器を提供することにある。
【課題１を解決するための手段】
【００１３】  本発明は、熱源となる複数の円筒に円周方向に溝を設けることにより、載置した食品缶詰の巻き締め部の突起が溝と嵌合することによって、熱源となる円筒表面と食品缶詰の側周面との密着性を高めたことを特徴とする。
【発明が解決しようとする課題２】
【００１４】  円筒形の缶容器には様々な種類のものがある。例えば、お茶などを入れる金属製の容器やポテトチップスなどを入れる紙製の容器、玩具などを入れるプラスティック製の透明容器など、数え上げればきりがないほどである。それらの商品は、店頭に陳列される際には商品名を表示した部分を正面にして縦向きに並べることを想定しているものが多い。従って、これらの商品が陳列棚に載置される際には、商品名を表示した部分を正面に向けて縦向きに並べられることになる。顧客がさらに詳しい情報を知りたいと思っても、それらの情報は通常、顧客の目から見えない状態に置かれている。
【００１５】  つまり、顧客は商品を手に取り、裏側に表示された情報を確認するなどしてから購入するわけである。購入しない場合には、そのまま陳列棚に返却されることになる。しかし、顧客は必ずしも商品名を正面に向けて陳列棚に返却するとは限らない。
【００１６】  製造者の側から見れば、缶容器を棚に陳列して商品名を表示するには、角度３６０度の側周面のうちの１８０度の部分を正面に収める必要がある。そのため、商品名などの重要情報を１８０度の範囲内にできる限り大きな文字を用いて収め、内容物に関する詳細情報を残りの１８０度の範囲内に比較的小さな文字を用いて表示するほかないわけである。
【００１７】  あるいは、商品名などの重要な情報を缶容器の側周面に複数配置する方法なども提案されている。
【００１８】
【実用新案文献】
実開平７−０１６９８３  （第２項、第１図）
【課題２を解決するための手段】
【００１９】  本発明は、缶容器を横向きに寝かせて側周面を駆動回転させることによって、従来、顧客が手に取って確認するほかなかった缶容器の全体を表示させることを特徴とする。
【発明の効果】
【００２０】  容器を回転させて側周面全体を自動的に表示することにすれば、商品名を缶容器の側周面全体に配置すること可能となる。その場合、陳列効果を高めるために、より大きな文字を使用することができる。
【００２１】  また、通常見えない部分が現れるため、キャッチフレーズなどのメッセージを電光掲示板のように動的に表示することができる。このように、缶容器を回転させて陳列すれば、顧客の手を煩わせることなしに、より多くの情報を表示することが可能となる。
【００２２】  さらに、側周面に表と裏という区別をつける必要もなくなるので、詳細な商品情報をより大きな文字を用いて表示することも可能になる。
【００２３】  仮に、顧客が商品を購入するに至らず、手に取った商品を陳列台に返却した場合でも、缶が回転するので、商品名などの販売者側にとって重要な情報が隠れてしまうことはない。
【発明を実施するための最良の形態】
【００２４】  以下、本発明を実施するための最良の形態について説明する。
図２の斜視図に示すように、缶詰は蓋３で側周面１を巻き締めることで密封されているが、その結果、側周面１よりも外側に折り曲げられた巻き締め部２を有している。図３の斜視図は、深絞りによって成形されたツーピース缶であるが、この場合、蓋３が側周面１と一体的に成形されている側は側周面１よりも外側にせり出すことはないが、それでも、反対側の蓋（図示せず）は巻き締め部２を有しており、側周面よりも外側にせり出している。
一部の飲料缶では、この巻き締め部２の円周が側周面１の円周よりも小さいものも見られる。しかし、一般的な食品缶詰においては、巻き締め部２が側周面１よりも大きな円周を持ち、外側にせり出した構造ものが多い。【００２５】  図４は、熱源となる２本の円筒４の上に図２の缶詰を横向きに載置した斜視図である。図５は、同じく２本の円筒４の上に図３の缶詰を横向きに載置した斜視図である。いずれの場合においても、円筒４と缶詰の側周面１とは密着せず、隙間５が生じる。このような空間を有したままでは、熱源からの熱伝導が妨げられることは明らかである。【００２６】  この場合において、図６、図７のように、円筒４の表面に溝６を設ければ、缶詰の巻き締め部２が溝６と嵌合し、円筒４の表面と缶詰の側周面１とが密着する。【００２７】  図８、図９は、溝６を有する２本の円筒４上に、側周面に「おでん」と書かれた缶詰を載置した状態で、円筒４を等速で回転させた状態を示している。円筒４をそれぞれＡの方向に回転させると、載置した缶詰はＢの方向に駆動され回転する。
円筒４の表面と缶詰の側周面とが密着しているため、缶詰は上滑りすることなく、一定速度で回転し、缶詰の側周面に配置された「おでん」という文字、図形などのラベルデザインが動的に表示されることになる。【００２８】  図８では「おでん」という文字のうち、「お」と「で」しか見えず、これだけではどのような商品かを知ることはできないが、やがて図９のように、後方に隠れていた「ん」という文字が現れることによって、この商品が「おでん」であることが分かる。
このように、缶詰の側周面を駆動回転させることによって、側周面全体に商品名を配置しても、十分な陳列効果を上げることが可能になる。【００２９】  図１０は、円周方向に溝を有する複数の円筒４を水平方向に平行に配置した装置の斜視図である。筐体８は、内部に円筒４を駆動回転させるための電動機やスプロケット、チェーンなどの駆動部品、円筒４に熱を供給するためのヒーターやコンプレッサーなどの電気部品を収納している。【００３０】  円筒４の数を増やせば、前後方向により多くの缶詰を載置でき、円筒表面の溝６の数を増やせば、左右方向により多くの種類の缶詰を載置できる。溝の間隔を缶詰のサイズに合わせて調整したり、円筒４の間隔を調節することによって、左右・前後方向に、直径や高さの異なる多様な種類の缶詰を載置することができる。また、溝６の幅を缶詰の巻き締め部の幅の２倍以上に広げれば、複数の缶詰を左右方向に連続して隣り合わせて載置することができる。【００３１】  このような装置において、回転する円筒表面に溝６がない場合、載置した缶詰を所定の位置に陳列することは困難である。円筒４が左右方向に少しでも傾きを有するとき、つまり、水平に設置されていない場合、缶詰は重力の作用で左右どちらかの低い方向へと移動してしまうからである。溝６を有することにより、缶詰の巻き締め部が円筒上の所定の位置に固定され、左右のどちらかに密集してしまうことなく、缶詰を意図した位置に正しく陳列することができる。
【発明の効果】
【００３２】  本発明によれば次のような効果を奏する。
（１）本発明の保温器は、側周面の外側に折り曲げられた巻き締め部を有する缶詰であっても、熱源となる円筒表面が缶詰の巻き締め部と嵌合する溝を有することによって、缶詰の側周面に直接的に熱を伝達することができ、また、熱源となる円筒表面と缶詰の側周面との密着性を高めたために円筒を回転させる際に缶詰が円筒上で空滑りすることなく回転するので、急速に喫食適温に到達することができる。
（２）本発明の陳列装置および缶は、陳列装置の有する複数の円筒を速回転させることによって、陳列対象である缶の側周面に配置された文字、図柄などのラベル・デザイン全体が動く。このような陳列装置においては、缶のデザインを動的に表示することが可能なので、従来、手に取って見なければ確認できなかった部分を含めて、缶の側周面全体に文字、図柄などを配置することが可能となる。
【図面の簡単な説明】
【００３３】
【図１】  本発明の缶保温装置の斜視図である。
2009213852.tif 000003
【図１０】  本発明の缶陳列装置の斜視図である。
【符号の説明】
【００３４】    １  缶詰の側周面
２  缶詰の巻き締め部
３  缶詰の蓋
４  円筒
５  隙間
６  溝
７  文字、図形、デザイン
８  筐体
【図１】
2009213852.tif 000004
【図２】
2009213852.tif 000005
【図３】
2009213852.tif 000006
【図４】
2009213852.tif 000007
【図５】
2009213852.tif 000008
【図６】
2009213852.tif 000009
【図７】
2009213852.tif 000010
【図８】
2009213852.tif 000011
【図９】
2009213852.tif 000012
【図１０】
2009213852.tif 000013
【手続補正書】
【提出日】平成20年7月1日(2008.7.1)
【手続補正１】
【補正対象書類名】明細書
【補正対象項目名】００３３
【補正方法】変更
【補正の内容】
【００３３】
【図１】本発明の缶保温装置の一例を示す斜視図である。
【図２】側周面の両端に巻き締め部を有する缶詰を示す斜視図である。
【図３】側周面の片端に巻き締め部を有する缶詰の斜視図である。
【図４】本発明の熱源となる円筒表面に溝が無い場合に、両端に巻き締め部を有する缶詰は、巻き締め部があるために円筒表面と缶詰の側周面との密着性が損なわれることを示した斜視図である。
【図５】本発明の熱源となる円筒表面に溝が無い場合に、巻き締め部が片端だけにしかない缶詰であっても円筒表面と缶詰の側周面との密着性が損なわれることを示した斜視図である。
【図６】本発明の熱源となる円筒の溝に側周面の両端に巻き締め部を有する缶詰の巻き締め部が嵌合し、缶詰の側周面との密着性が高まったことを示す斜視図である。
【図７】本発明の熱源となる円筒の溝に側周面の片端に巻き締め部を有する缶詰の巻き締め部が嵌合し、缶詰の側周面との密着性が高まったことを示す斜視図である。
【図８】本発明の陳列装置が缶を駆動するしくみを示す斜視図である。
【図９】図８から少し時間が経過した状態を示した斜視図である。
【図１０】本発明の缶陳列装置の一例を示す斜視図である。